(57)【要約】【課題】この発明の目的は、デザイン性を向上させた温風乾燥機を提供することにある。【解決手段】中空筒状の本体ケース１の内部に、風を生起する送風ファン１０と、ファン１０を回転駆動するモータ１１と、風を加熱するヒーターユニット１２とを配置した温風乾燥機において、本体ケース１に部分的に形成した凹部５２に装飾シート５０を配置したうえで、透明のカバー５１によって装飾シート５０を覆った。凹部５２は分割ケースの接合縁４９に形成されている。【選択図】図１１
2004105751.tif 000002
【特許請求の範囲】
【請求項１】
　中空筒状の本体ケース１の内部に、風を生起する送風ファン１０と、ファン１０を回転駆動するモータ１１と、風を加熱するヒーターユニット１２とを配置した温風乾燥機において、
　本体ケース１に部分的に形成した凹部５２に装飾シート５０を配置したうえで、透明のカバー５１によって装飾シート５０を覆ったことを特徴とする温風乾燥機。
【請求項２】
　分割ケースを蓋合わせ状に接合して構成された中空筒状の本体ケース１の内部に、風を生起する送風ファン１０と、ファン１０を回転駆動するモータ１１と、風を加熱するヒーターユニット１２とを配置した温風乾燥機において、
　分割ケースの接合縁４９にシート５０を配置したうえで、カバー５１によってシート５０を覆ったことを特徴とする温風乾燥機。
【請求項３】
　分割ケースを蓋合わせ状に接合して構成された中空筒状の本体ケース１の内部に、風を生起する送風ファン１０と、ファン１０を回転駆動するモータ１１と、風を加熱するヒーターユニット１２とを配置した温風乾燥機において、
　分割ケースの接合縁４９を跨ぐ凹部５２に装飾シート５０を配置したうえで、透明のカバー５１によって装飾シート５０を覆ったことを特徴とする温風乾燥機。
【請求項４】
　本体ケース１に、スイッチベース５と、スイッチベース５に取り付けられ、モータ１１またはヒータユニット１２の運転状態を切り換えるスイッチノブ６とを備え、
　スイッチベース５は、カバー５１に隣接して装着されていることを特徴とする請求項１乃至請求項３の何れかに記載の温風乾燥機。
【請求項５】
　スイッチベース５の下端部分にて、装飾シート５０の上端部が隠されていることを特徴とする請求項４に記載の温風乾燥機。
【請求項６】
　装飾シート５０に金属蒸着層が形成されていることを特徴とする請求項１乃至請求項５の何れかに記載の温風乾燥機。
【発明の詳細な説明】
【技術分野】
【０００１】
　この発明は、表面装飾に改良を加えた温風乾燥機に関するものである。
【背景技術】
【０００２】
　透明ケースの内部に装飾シートを配設することは特許文献１に公知である。そこでは、本体ケースを透視可能に形成し、本体ケースの内部に装飾シートを丸めた状態で差し込み装着されることで、同一機種で表面装飾の異なる温風乾燥機を得るに際し、本体ケースを共用化でき、温風機を低コストで得ることができるというものである。
【０００３】
　また、本体ケースの一部を透明にしてファンを目視可能にしたヘアドライヤは特許文献２に公知であり、吸気口の側板を半透明にし美感を向上させたヘアドライヤは特許文献３に公知である。
【０００４】
【特許文献１】特許第３１６０６５４号公報
【特許文献２】実開昭６１−７５２０５号のマイクロフィルム
【特許文献３】実開昭４９−１２９７８７号のマイクロフィルム
【発明の開示】
【発明が解決しようとする課題】
【０００５】
　この発明の目的は、デザイン性を向上させた温風乾燥機を提供することにある。
【課題を解決するための手段】
【０００６】
　そこでこの発明の温風乾燥機は、中空筒状の本体ケース１の内部に、風を生起する送風ファン１０と、ファン１０を回転駆動するモータ１１と、風を加熱するヒーターユニット１２とを配置した温風乾燥機において、本体ケース１に部分的に形成した凹部５２に装飾シート５０を配置したうえで、透明のカバー５１によって装飾シート５０を覆ったことを特徴とする。
【０００７】
　また、分割ケースを蓋合わせ状に接合して構成された中空筒状の本体ケース１の内部に、風を生起する送風ファン１０と、ファン１０を回転駆動するモータ１１と、風を加熱するヒーターユニット１２とを配置した温風乾燥機において、分割ケースの接合縁４９にシート５０を配置したうえで、カバー５１によってシート５０を覆ったことを特徴とする。
【０００８】
　また、分割ケースを蓋合わせ状に接合して構成された中空筒状の本体ケース１の内部に、風を生起する送風ファン１０と、ファン１０を回転駆動するモータ１１と、風を加熱するヒーターユニット１２とを配置した温風乾燥機において、分割ケースの接合縁４９を跨ぐ凹部５２に装飾シート５０を配置したうえで、透明のカバー５１によって装飾シート５０を覆ったことを特徴とする。
【０００９】
　また、本体ケース１に、スイッチベース５と、スイッチベース５に取り付けられ、モータ１１またはヒータユニット１２の運転状態を切り換えるスイッチノブ６とを備え、スイッチベース５は、カバー５１に隣接して装着されていることを特徴とする。
【００１０】
　また、スイッチベース５の下端部分にて、装飾シート５０の上端部が隠されていることを特徴とする。
【００１１】
　また、装飾シート５０に金属蒸着層が形成されていることを特徴とする。
【発明の効果】
【００１２】
　本体ケース１に部分的に形成した凹部５２に装飾シート５０を配置したうえで、透明のカバー５１によって装飾シート５０を覆ったことにより、透明なカバー５１を透かして装飾シート５０を見ることになるので深みのある色合いを表現できる。
　本体ケース１の表面に凹みを形成することで、装飾シート５０の装着の目安となり、装飾シート５０の装着が容易となるうえ、その上からさらに透明のカバー５１によって押し付けられているので、装飾シート５０のズレ防止効果が得られる。
【００１３】
　分割ケースの接合縁４９にシート５０を配置したうえで、カバー５１によってシート５０を覆ったことにより、接合縁４９から乾燥風が漏れ出すのを防止して送風効率を向上することができる。
【００１４】
　分割ケースの接合縁４９を跨ぐ凹部５２に装飾シート５０を配置したうえで、透明のカバー５１によって装飾シート５０を覆ったことにより、透明なカバー５１を透かして装飾シート５０を見ることになるので深みのある色合いを表現できる。
　本体ケース１の表面に凹みを形成することで、装飾シート５０の装着の目安となり、装飾シート５０の装着が容易となるうえ、その上からさらに透明のカバー５１によって押し付けられているので、装飾シート５０のズレ防止効果が得られる。
　さらに、接合縁４９から乾燥風が漏れ出すのを防止して送風効率を向上することができる。
【００１５】
　本体ケース１に、スイッチベース５と、スイッチベース５に取り付けられ、モータ１１またはヒータユニット１２の運転状態を切り換えるスイッチノブ６とを備え、スイッチベース５は、カバー５１に隣接して装着されていることにより、部分的に装飾シート５０が配置されていても、隣接関係にあるのでスイッチ操作時に装飾シート５０が視覚に入りやすく、少ないコストで大きな装飾効果を奏することができる。逆に装飾シート５０がスイッチ操作の目安になることから、スイッチ操作を的確に行うことができる。
【００１６】
　スイッチベース５の下端部分にて、装飾シート５０の上端部が隠されていることにより、外観上の体裁を整えることができる。
【００１７】
　装飾シート５０に金属蒸着層が形成されていることにより、光の当り具合によって虹色を伴う金属光沢を発現でき、さらにデザイン性を向上できる。
【発明を実施するための最良の形態】
【００１８】
　以下、この発明の実施例を図面に基づき具体的に説明する。
【００１９】
　風洞部２の側面上部にはドライヤーの運転状態を切り換えるスイッチベース５が装着されており、その中央にスイッチノブ６を上下スライド可能に組み付けてある。符号７は運転状態であることを点灯表示するＬＥＤから成る表示灯、８はブラシユニット３をロック解除操作するためのボタンである。
【００２０】
　図３において風洞部２の内部には、乾燥風を生起する送風ファン１０と、送風ファン１０を回転駆動するモータ１１と、乾燥風を加熱するヒーターユニット１２とが下側から順に直線列状に配置してある。送風ファン１０は、風洞部２の下端に設けた吸込口１３から吸い込んだ空気を加圧して、ヒーターユニット１２を介して吹出部４へ向かって送給する。ヒーターユニット１２は、十文字に組まれた絶縁枠（ヒーター支持体）１５にコイル状のニクロム線（ヒーター）１６を螺旋状に巻き付け（図１２参照）、その周囲を断熱ケース１７で覆って構成してある。ヒーター１６は、ニクロム線のような電気式のものに限らず、ガス式のものであってもよい。
【００２１】
　断熱ケース１７はメッキ処理された金属板製の筒体からなり、熱伝導作用で熱を分散させることによって、ニクロム線１６に近接する壁部分が局部的に高温化するのを防止し、さらに輻射熱を反射させるために存在する。断熱ケース１７の筒内面には絶縁シートを貼り付けてある。断熱ケース１７と本体ケース１との間には、モータ１１およびニクロム線１６への通電状態を切り換えるためのスイッチ１８を配置してあり、先のスイッチノブ６で本体ケース１の外面側からスイッチ１８を切り換え操作できる。
【００２２】
　吹出部４は風洞部２の上方に一体成形によって連続して中空筒状に形成されている。吹出部４に臨む前ケース１Ａの前面は、ほぼ全面にわたって吹出口１９として開口しており、その内面に筒状の断熱体２０と、後述するマイナスイオンを生成するためのイオン発生装置（付加電気機器）とが配置してある。吹出口１９は本体ケース１の中心軸と交差する向きに開口してあって、本体ケース１内を流れる風を直交方向へ変向できるので、本体ケース１を無理せず自然に握るだけで、風及びマイナスイオンを簡単に対象物へ送給できる。
【００２３】
　断熱体２０を本体ケース１内に配置することで、断熱体２０と本体ケース１間に空気層が形成される。従って、断熱ケース１７から吹き出る加熱乾燥風によって、本体ケース１の一部が過熱されて熱くなるのを防止できる。図５において断熱体２０は、吹出口１９に臨む前側の前分割体２１と、後ろ側の後分割体２２と、両分割体２１・２２の上部間に挟み固定されるホルダー２３とからなり、図６に示すように、その下端の筒口が断熱ケース１７の出口に被さる状態で配置してある。このように、断熱ケース１７の出口に筒状の断熱体２０を外嵌すると、両者の隣接部分から乾燥風が漏れ出るのを解消でき、漏れ出た過熱乾燥風による本体ケース１の温度上昇をよく防止できる。また、１枚の金属板を筒状に折り曲げて形成した断熱ケース１７の出口を断熱体２０で保形保持して、断熱ケース１７の接合縁の解離をよく防止できる。断熱体２０を区政する各部材２１・２２・２３はそれぞれ耐熱性に優れたポリフェニレンサルファイドを素材にして成形してあり、例えばポリブチレンテレフタレートで成形した本体ケース１の耐熱温度が２００℃であるのに対し、前記三者２１・２２・２３は２７０℃までの熱に耐える。このように、本体ケース１よりも断熱体２０の耐熱温度が高いと、例えばヒーター１６が落下衝撃によって変形し、あるいは位置ずれして巻き密度が不均一になり、発生熱量が局部的に大きくなったとしても、断熱体２０の変形を確実に防止でき、さらに本体ケース１が耐熱温度を越えて過熱されるのを確実に防止して、その一部が変形し、あるいは変質して脆くなってしまうのを防止できる。なお、温風乾燥機の構造によっては、断熱体２０と本体ケース１とを同じ材質で構成できる。
【００２４】
　後ろ向きに開口する樋状に形成された前分割体２１は吹出口１９用のグリル２６を兼ねており、そのために吹出口１９に臨む周面全体に一群の通気スリット２４が開口しており、その中央部にイオン出口２５が開口している（図４参照）。吹出口１９の左右側縁に沿って、ブラシユニット用の装着部を設けてあり、図４に示すようにこの装着部にあてがったブラシユニット３を上方から下方にスライド操作することにより、ブラシユニット３を吹出部４に係合装着できる。ブラシユニット３を外せば単なる毛髪乾燥用に使用でき、ブラシユニット３を装着すれば、毛髪のカールや癖付けを効果的に行うことが可能なヘアーブロッサーとして使用できる。
【００２５】
　図７および図８においてブラシユニット３は、一群のブリッスル２７が植設されたアーチ形断面のベース２８と、ベース２８を固定支持するブラシ枠２９などで構成されている。ベース２８には、前分割体２１と同様に、イオン出口３０と一群の通気スリット３１とがそれぞれ形成してある。
【００２６】
　　図５および図９において後分割体２２は、前向きに開口する樋体状のプラスチック成形品からなり、その上部にＵ字状の受座４１を有し、受座４１の後ろ側に絶縁壁４２（図６参照）が形成されている。前分割体２１と後分割体２２とは蓋合わせ状に接合されて乾燥風の通路を区画形成しており、その上部に挟み固定したホルダー２３、後分割体２２で乾燥風の大半をイオン出口２５の周辺へ向かって変向案内する。後述するように乾燥風の一部はホルダー２３と前分割体２１との間の隙間Ｅへ入り込んだのち、上側の通気スリット２４から外部に吹き出る。
【００２７】
　図５および図６においてイオン発生装置は、高電圧発生部と一対の放電電極３３・３４とを含んでおり、これらの機器をホルダー２３に組み付けて、一個のユニット部品としてまとめてある。高電圧発生部は、整流回路４３およびパルス発生回路４４で構成する電気部品（パルス電流発生回路）が実装されたイオン発生用の回路基板３５と、高電圧を生成するトランス３６とからなる。
【００２８】
　ホルダー２３は後向きに開口する容器状に形成してあり、その下壁３７に取付座３８が下向きに突出している。ホルダー２３の下壁３７と後分割体２２の上端壁２２ａとは、乾燥風の一部をホルダー２３と前分割体２１との間の隙間Ｅへ案内するために斜め上向きに傾斜している。ホルダー２３の容器部分に回路基板３５とトランス３６とを組み、取付座３８の中央とその周りを囲むボスとに放電電極３３・３４を組み付けてある。
【００２９】
　高電圧発生部と放電電極３３・３４とが組み付けられたホルダー２３は、図６および図９に示すごとくその取付座３８が受座４１に接合する状態で後分割体２２に組み、前分割体２１を後分割体２２に組み付け、これらを後ケース１Ｂに組み付けることにより、イオン発生装置の全体を本体ケース１に固定する。この組み付け状態において、放電電極３３・３４は前分割体２１に設けたイオン出口２５と正対し、ホルダー２３と前分割体２１との間に、乾燥風の進入を許す通気隙間Ｅが確保される。従って、吹出部４内に吹き出た乾燥風は、イオン出口２５より下方の通気スリット２４から吹き出るのはもちろんのこと、先の通気隙間Ｅ内へも入り込んで、通気隙間Ｅに臨む通気スリット２４からも吹き出る。つまり、前分割体２１に設けた全ての通気スリット２４とイオン出口２５から乾燥風を吹き出ることになる。グリル２６は、吹出口１９を覆うことで通気隙間Ｅを確保するとともに、イオン発生用の回路基板３５とトランス３６とから成る高電圧発生部や放電電極３３などの吹出部４内の電装部品を外部から保護している。また、グリル２６は熱が伝導しにくいプラスチック材で形成してあるので、仮に身体が触れたとしても熱さを感じ難く、熱さのあまりヘアーブロッサーを落下させるといった危険性は低い。また火傷の危険性も少ない。回路基板３５やトランス３６が収納される空間Ｓと、乾燥風の通路空間Ｂとは、図６に示すようにホルダー２３、取付座３８、断熱体２０によって区分されているので、乾燥風が空間Ｓ内へ入り込むことはない。従って、回路基板３５に実装された電気部品や、トランス３６、および高圧リード線４５、給電リード線４６などが高温の乾燥風に晒されて劣化したり、あるいは風切音が発生するのをよく防止できる。
【００３０】
　ホルダー２３の下壁３７と後分割体２２の上端壁２２ａを設けることによって、放電電極３３・３４の近傍を吹出口１９に向かって流れる乾燥風が、その上方側（先端）、および下方側に比べて増大するので、放電電極３３・３４によって生成されたマイナスイオンを大量の乾燥風によって遠くまで飛ばすことができ、乾燥を行いながら毛髪などの対象物に効果的にマイナスイオンを送給することができる。なお、図６における実線矢印および破線矢印は、風の流れを表している。
【００３１】
　図１０はヘアーブロッサーの電気回路の概略を示しており、商用電源からの１００Ｖの電流を整流回路４３で半波整流した後、パルス発生回路４４でパルス電流に変換する。ついでパルス電流をトランス３６で昇圧（４ＫＶ）して、針状の放電電極３３に印加し、該電極３３から周囲の放電電極３４に向かって電子を放出させる。これにより、空気中の酸素、微少水滴、塵がマイナスに帯電してマイナスイオン化する。マイナスイオンは、乾燥風によって主にイオン出口２５から吹き出て髪に付着する。これによって、プラスに帯電し易い髪を中和でき、髪のぱさつきを防止できる。ヘアーブロッサーの駆動状態は、スイッチノブ６を上下にスライド操作することによって、次のように切り替わる。ＯＦＦ位置から一段階のスライドで、モータ１１、イオン発生装置の駆動を行う（冷風による乾燥風）。二段階のスライドで、モータ１１、イオン発生装置、およびヒーター１６の半波駆動（３５０Ｗ）を行う（温風による乾燥風）。三段階のスライドで、モータ１１、イオン発生装置、およびヒーター１６の全波駆動（７００Ｗ）を行う（熱風による乾燥風）。一段階〜三段階の何れの状態でも運転状態を表示する表示
灯７は点灯する。図２に示すように表示灯７はスイッチノブ５のスライド方向の延長線上にあり、使用者が運転状況を把握し易い。仮にモータに毛髪が絡みつきモータロックの状態のまま放置すれば発火のおそれがあり危険であるが、それを使用者に可及的に速やかに認識させることができる。
【００３２】
　図６に示すように中央の放電電極３３とトランス３６とを接続する高圧リード線４５と、高電圧発生部に電流を給電する給電リード線４６とは、後分割体２２の受座４１の近傍で隣接し、とくに高圧リード線４５の耐圧仕様が６〜１０ＫＶであるのに対し、給電リード線４６の絶縁被覆の耐圧仕様が３００Ｖと小さいため、被覆が途切れる高圧リード線４５と針状の放電電極３３との接続箇所から、給電リード線４６に向けて放電するおそれがある。このような異常放電を避けるために、後分割体２２に絶縁壁４２を設け、両リード線４５・４６が異常接近しないよう隔絶している。なお、針状の放電電極３３は、図７に示すように高圧リード線４５による絶縁被覆が途切れる接続箇所をシリコンゴムで絶縁被覆して、針の先端以外からの放電を防止しているが、落下衝撃や経時的にシリコンゴムにクラックが入り、絶縁状態が不十分になるおそれがある。このとき耐圧の低い給電リード線４６が高圧リード線４５に近付くと、給電リード線４６側に放電し、放電電極３３・３４によるイオン発生作用が低下するおそれがある。しかし、絶縁壁４２で高圧リード線４５と給電リード線４６の接近を確実に防止して、異常放電を防止できる。また、図６および図１３に示すように、給電リード線４６を後分割体２２と後ケース１Ｂとの間に形成されたの空間に配線するので、給電リード線４６が乾燥風に晒されて風切音を生じるのを避け、さらに高温の乾燥風に晒されてその絶縁被覆が劣化するのを避けることができる。とくに断熱ケース１７から吹き出る加熱乾燥風の中でも、吹き出した直後の加熱乾燥風は非常に高温になる部分があるが、断熱体２０はこの高温の加熱乾燥風から給電リード線４６をよく保護することができる。イオン発生用の回路基板３５側から電力が供給される表示灯７用のリード線７ａも、給電リード線４６と同様に後分割体２２と後ケース１Ｂとの間に配線され熱から保護されている。
【００３３】
　ヘアーブロッサーを構成するすべての電気機器は、図５に示すように予め結線したうえで、３個のブロックＢ１〜Ｂ３にまとめて後ケース１Ｂに組み込む。詳しくは、送風ファン１０とモータ１１とがひとまとめにされたファンブロックＢ１と、ヒーターユニット１２を含むヒーターブロックＢ２と、イオン発生装置およびホルダー２３を含む付加機器ブロックＢ３とにまとめたうえで、これらの各ブロックＢ１〜Ｂ３を接続リード線や給電リード線４６で結線して、後ケース１Ｂに組み付ける。このとき付加機器ブロックＢ３は後分割体２２に予め組み付けた状態で後ケース１Ｂに組み付けるが、先に後分割体２２を後ケース１Ｂに組み付け、その後に取付座３８が受座４１に接合する状態で付加機器ブロックＢ３を後ケース１Ｂに組み付けることもできる。次に、後分割体２２に前分割体２１を組み付け、最後に前ケース１Ａを後ケース１Ｂに組み付けて両者１Ａ・１Ｂをビス４７で締結し、その下端に空気の通過は許すが髪等の異物の侵入は阻止する截頭円錐状のキャップ４８を吸込口１３に固定することにより、全ての内部部品を確りと固定できる。その後、後述するようにカバー５１と、スイッチノブ６を取り付けたスイッチベース５とを前ケース１Ａと後ケース１Ｂとに係合固定することでヘアーブロッサーは完成する。
【００３４】
　なお、上述したすべての電気機器の予めの結線とは、スイッチ１８や表示灯７の結線も含むものであり、ヘアーブロッサー本体内のすべての電気機器のリード線が結線されている状態を意味する。因みに、後ケース１Ｂに各電気機器を仮組みした後に結線するのでは、狭いケース内でのハンダ付け作業となり作業性が悪かったが、本実施例のように、予めすべての電気機器を結線したうえで、後ケース１Ｂに組み付ければ、ハンダ付け作業を自由な作業空間で簡便に行えるうえ、後ケース１Ｂに対する組み付けの手間も軽減できる。また、電力を供給すれば完成品と同等の機能を発揮する状態にあるので、各機器の動作確認を行ったうえで本体ケース１を完成することができ、結線不良があった場合に体ケース１の分解の手間を省くことができる。さらに各機器間の結線作業が作業台上の制約のない空間で手際よく簡単に行える。各ブロックＢ１〜Ｂ３どうしを本体ケース１に組み付けた後、例えばコネクターで結線する必要がないので、結線不良の余地がなく、その分だけ信頼性が向上する。
【００３５】
　スイッチ１８や表示灯７についても、各ブロックＢ１〜Ｂ３を後ケース１Ｂに組み込むとき、同じく後ケース１Ｂに仮組み（図３に示すように、スイッチ１８は後ケース１Ｂの断熱ケース１７を保持する部分に形成された爪に嵌合され、表示灯７も後ケース１Ｂに形成された係合溝に嵌合している）し、その後、上述したように前ケース１Ａを後ケース１Ｂに組み付けて確り固定する。なお、比較的小型の電気機器であるスイッチ１８や表示灯７については、後ケース１Ｂに仮組みするのではなく、スイッチベース５側に組み付け、スイッチベース５の本体ケース１への組み付け時に同時に固定するようにしてもよい。
【００３６】
　本実施例では、付加機器ブロックＢ３の一部を断熱体２０として利用しているが、それに限らず図１５に示すように、熱風の通路を形成できれば筒状のプラスチック単独で断熱体２０を形成できる。このとき付加機器ブロックＢ３を設けるならば、本体ケース１と断熱体２０との間にリード線とともに配設する方が熱の影響を受け難いので好ましい。
【００３７】
　図３において風洞部２に臨む前ケース１Ａと後ケース１Ｂとの接合縁４９の外面には、装飾シート５０を配置してその外表面が透明のカバー５１で覆われている。さらに、カバー５１の上部に隣接して前記スイッチベース５が装着されている。前ケース１Ａと後ケース１Ｂが本実施例における分割ケースである。　　　
【００３８】
　図１１および図１２において装飾シート５０は、片面に金属蒸着層が形成されたポリカーボネイト製の柔軟性を有するシートを短冊状に切断して形成してあり、光の当り具合によって虹色を伴う金属光沢を発現できる。装飾シート５０は、前ケース１Ａと後ケース１Ｂとの接合縁を跨ぐ凹部５２に配置し、接合縁４９の隙間を塞ぐ。
【００３９】
　カバー５１は、透明プラスチック材で剛性を有するよう形成してあり、凹部５２との接合面の上下端に係合片５３・５４が一体成形によって設けてある。これらの係合片５３・５４のうち、上側の一対の係合片５３は、前ケース１Ａと後ケース１Ｂとに設けた係合溝（係合体）５５に係合して、両ケース１Ａ・１Ｂが前後に分離するのを阻止する。また、下側の係合片５４は前記キャップ４８で保持されて（図３参照）、その浮き離れが規制されている。上下の係合片５３・５４間の上下寸法は、装飾シートの上下寸法と略同じであるので、装飾シート５０が上下方向へずれ動くのも規制する。
【００４０】
　例えば、接合縁４９に装飾シート５０のみを配設した場合には、接合縁４９から乾燥風が漏れ出すのを防止して送風効率を向上することはできても、開き防止作用は得られない。また、剛性を有する部材で接合縁４９を塞ぐと、剛性があるゆえに前ケース１Ａと後ケース１Ｂとが開くのを防止できるが、柔軟性がないので合せ目を含むケース表面に対する追従性が悪く、送風効率の向上は望めない。これを解決するために、本発明では、本体ケース１における接合縁４９に沿って柔軟性を有する装飾シート５０を設け、そのうえで、剛性を有するカバー５１で覆うケース構造としたので、追従性のよい装飾シート５０が接合縁４９に密着して送風効率を向上することができ、さらに剛性のあるカバー５１によって装飾シート５０への損傷を防止できる。また、前ケース１Ａと後ケース１Ｂの分離防止手段をカバー５１に形成しておけば、効果的に両ケース１Ａ・１Ｂの分離を防止できる。透明なカバー５１を透かして装飾シート５０を見ることになるので深みのある色合いを表現できる。
【００４１】
　装飾シート５０は、本体ケース１の凹部５２に貼着することで、接合縁４９に密着させることができるが、工数を考慮すれば、カバー５１で装飾シート５０を部分的或いは全面的に押し付けて、装飾シート５０を接合縁４９に密着させる構造を採用する方が好ましく、本実施例では後者を採用している。本体ケース１の表面に凹部５２を形成することで、装飾シート５０の装着の目安となり、装飾シート５０の装着が容易となるうえ、その上からさらに透明のカバー５１によって押し付けられているので、装飾シート５０のズレ防止効果が得られる。また本実施例の装飾シート５０はポリカーボネイト製のプラスチック材で形成されたものであるが、柔軟性を有していれば、金属であってもよい。なお、この柔軟性シートと剛性カバーの２重構造は、本実施例のように部分的に設ける必要はなく、送風効率を考えれば乾燥風の通路空間に位置する接合縁４９全てに設ける方が好ましい。この場合構造上、シートやカバーが複数組みになることはやむを得ず、デザイン性を考慮すれば、１組のシートとカバーを上述したように透かして見えるようにし、その他のカバーは不透明とした方がよい。
【００４２】
　スイッチベース５は、着色された不透明のプラスチック成形品からなり、前記カバー５１を装着したのち前ケース１Ａと後ケース１Ｂとに係合固定する。この固定状態において、スイッチベース５の下端部分は、図３に示すようにカバー５１の上端外面に被さって、係合片５３と装飾シート５０の上端部とを隠し、外観上の体裁を整える。装飾シート５０は、模様や絵柄等をシートに印刷したものであってもよい。またデザイン性を考慮せず、送風効率向上と開き防止のみに重点をおいた場合は、同じ２重構造のままカバー５１を不透明にすることもできる。
【００４３】
　図１４は本発明の第２実施例を示しており、先のイオン発生装置に加えてマッサージ用の振動発生装置（付加電気機器）を吹出部４内に設けた点が第１実施例とは異なる。この振動発生装置は、モータ５７と、その出力軸に偏心状態で固定した起振錘５８とからなり、モータ５７の給電リード線４６を後分割体２２と後ケース１Ｂとの間に形成された空間に配線する。ホルダー２３は断熱体２０と一体成形で形成されている。モータ５７および給電リード線４６を断熱体２０によって区分された空間Ｓ内に設けるので、熱による劣化や風切り音の発生を防止できる。本実施例においてももちろんイオン発生装置の給電リード線は後分割体２２と後ケース１Ｂとの間に配線される。なお、本実施例におけるイオン発生装置はなくてもよい。第１実施例では、断熱体２０下端の筒口が断熱ケース１７の出口に被さる状態で配置したが、断熱ケース１７から吹き出る乾燥風が、ほぼ全て断熱体２０側に流れるならば、図１４に示すように若干の隙間を有する形態で断熱体２０と断熱ケース１７とを隣接配置してもよい。断熱ケース１７の出口に連続して筒状の断熱体２０を配置するという意味はこの点を含むものとする。他は先の第１実施例と同じであるので、同じ部材には同じ符号を付してその説明を省略する。以下の別実施例においても同様に扱う。
【００４４】
　図１５は本発明の第３実施例を示しており、イオン発生装置に加えて水蒸気発生装置（付加電気機器）を吹出部４内に設けた点が第１実施例とは異なる。この水蒸気発生装置は、タンク５９とヒーター内蔵の加熱部６０とを有し、加熱部６０に外嵌したフェルト６１に含浸されている水を加熱して髪にスチームを供給するようになっている。他は先の第２実施例と同じである。
【００４５】
　図１６は本発明の第４実施例を示しており、一般的形態のハンドドライヤーの断熱ケース１７と吹出口１９との間に筒状の断熱体２０を配置して、本体ケース１が過熱されるのを防ぐようになっている。第１実施例の断熱体２０は前分割体２１と後分割体２２を有する二分割構造であったが、本実施例の断熱体２０は、断熱体２０を一体成形で筒状に構成したものであり、グリル２６は断熱体２０と一体に成形してある。グリル２６は、ヒーター１６への器物の接触を防ぐ目的で形成してあり、断熱体２０内にイオン発生装置や水蒸発生装置が内蔵してあれば、それらを保護できることになる。本実施例においても、断熱ケース１７の出口を断熱体２０の入口内面に嵌め込んで、過熱乾燥風が両者の接続部分から漏れ出るのを防止している。上述したように、断熱体２０は筒状のプラスチック成形品からなり、本体ケース１の吹出口１９に臨む断熱体２０の端壁に、一群の通気スリット２４を開口して、断熱体２０が吹出口１９用のグリル２６を兼ねているので、吹出口１９用のグリルを独立部品として構成する場合に比べて部品点数が減り、その分だけ温風乾燥機の製造コストを削減化できる。しかも断熱体２０を一個の部品として構成できる分だけ、温風乾燥機の製造コストをさらに削減できる。
【００４６】
　上記以外に本発明は、温風式のヘアーカーラー、ヘアーストレーター、手乾燥機、足乾燥機などの小型電気機器にも適用することができる。またイオン発生装置の電極は、マイカ、セラミック等からなる板状の絶縁体（誘電体）の表と裏とに放電電極と誘導電極を配置した沿面放電型の構造や、２個の針状電極を対向配置した電極構造などに変更でき、マイナスイオンの発生が可能であればその構造は何ら限定されない。
【図面の簡単な説明】
【００４７】
【図１】全体の縦断側面図
【図２】全体の側面図
【図３】風洞部の縦断正面図
【図４】ブラシユニットを分離した状態での吹出部の正面図
【図５】全体の厚生部材を分解した状態での側面図
【図６】吹出部の縦断側面図
【図７】図１におけるＡ−Ａ線断面図
【図８】図１におけるＢ−Ｂ線断面図
【図９】ホルダーの組み付け構造を示す斜視図
【図１０】イオン発生装置の回路構造を示すブロック図
【図１１】風洞部の分解斜視図
【図１２】図３におけるＣ−Ｃ線断面図
【図１３】イオン発生装置の配線状態を示す背面図
【図１４】第２実施例の概略を示す縦断面図
【図１５】第３実施例の概略を示す縦断面図
【図１６】第４実施例の概略を示す縦断面図
【符号の説明】
【００４８】
　１　本体ケース
　１Ａ　前ケース
　１Ｂ　後ケース
　５　スイッチベース
　１０　送風ファン
　１１　モータ
　１２　ヒーターユニット
　１５　ヒーター支持体
　１６　ヒーター
　１７　断熱ケース
　１９　吹出口
　２０　断熱体
　２１　前分割体
　２２　後分割体
　２４　通気スリット
　４８　キャップ
　５０　装飾シート
　５１　カバー
　５２　凹部
【図１】
2004105751.tif 000003
【図２】
2004105751.tif 000004
【図３】
2004105751.tif 000005
【図４】
2004105751.tif 000006
【図５】
2004105751.tif 000007
【図６】
2004105751.tif 000008
【図７】
2004105751.tif 000009
【図８】
2004105751.tif 000010
【図９】
2004105751.tif 000011
【図１０】
2004105751.tif 000012
【図１１】
2004105751.tif 000013
【図１２】
2004105751.tif 000014
【図１３】
2004105751.tif 000015
【図１４】
2004105751.tif 000016
【図１５】
2004105751.tif 000017
【図１６】
2004105751.tif 000018
【手続補正書】
【提出日】平成16年2月5日(2004.2.5)
【手続補正１】
【補正対象書類名】特許請求の範囲
【補正対象項目名】請求項１
【補正方法】変更
【補正の内容】
【請求項１】
　風洞部２の内部に、風を生起する送風ファン１０と、送風ファン１０を回転駆動するモータ１１と、風を加熱するヒーターユニット１２とが、吸込口１３側から順に直線列状に配置してある温風乾燥機において、
　風洞部２の外面に部分的に形成した凹部５２に柔軟性を有する装飾シート５０を配置したうえで、剛性を有する透明のカバー５１によって装飾シート５０を覆ったことを特徴とする温風乾燥機。
【手続補正２】
【補正対象書類名】特許請求の範囲
【補正対象項目名】請求項２
【補正方法】変更
【補正の内容】
【請求項２】
　前ケース１Ａと後ケース１Ｂとを蓋合わせ状に接合して構成された風洞部２の内部に、風を生起する送風ファン１０と、送風ファン１０を回転駆動するモータ１１と、風を加熱するヒーターユニット１２とが、吸込口１３側から順に直線列状に配置してある温風乾燥機において、
　風洞部２における接合縁４９の外面に柔軟性を有するシート５０を配置したうえで、剛性を有するカバー５１によってシート５０を覆ったことを特徴とする温風乾燥機。
【手続補正３】
【補正対象書類名】特許請求の範囲
【補正対象項目名】請求項３
【補正方法】変更
【補正の内容】
【請求項３】
　前ケース１Ａと後ケース１Ｂとを蓋合わせ状に接合して構成された風洞部２の内部に、風を生起する送風ファン１０と、送風ファン１０を回転駆動するモータ１１と、風を加熱するヒーターユニット１２とが、吸込口１３側から順に直線列状に配置してある温風乾燥機において、
　風洞部２における接合縁４９の外面に接合縁４９を跨ぐ凹部５２を形成し、この凹部５２に柔軟性を有する装飾シート５０を配置したうえで、剛性を有する透明のカバー５１によって装飾シート５０を覆ったことを特徴とする温風乾燥機。
【手続補正４】
【補正対象書類名】特許請求の範囲
【補正対象項目名】請求項４
【補正方法】変更
【補正の内容】
【請求項４】
　風洞部２に、スイッチベース５と、スイッチベース５に取り付けられ、モータ１１またはヒータユニット１２の運転状態を切り換えるスイッチノブ６とを備え、　
　スイッチベース５は、カバー５１に隣接して装着されていることを特徴とする請求項１乃至請求項３の何れかに記載の温風乾燥機。
【手続補正５】
【補正対象書類名】明細書
【補正対象項目名】０００６
【補正方法】変更
【補正の内容】
【０００６】
　そこでこの発明の温風乾燥機は、風洞部２の内部に、風を生起する送風ファン１０と、送風ファン１０を回転駆動するモータ１１と、風を加熱するヒーターユニット１２とが、吸込口１３側から順に直線列状に配置してある温風乾燥機において、風洞部２の外面に部分的に形成した凹部５２に柔軟性を有する装飾シート５０を配置したうえで、剛性を有する透明のカバー５１によって装飾シート５０を覆ったことを特徴とする。
【手続補正６】
【補正対象書類名】明細書
【補正対象項目名】０００７
【補正方法】変更
【補正の内容】
【０００７】
　また、前ケース１Ａと後ケース１Ｂとを蓋合わせ状に接合して構成された風洞部２の内部に、風を生起する送風ファン１０と、送風ファン１０を回転駆動するモータ１１と、風を加熱するヒーターユニット１２とが、吸込口１３側から順に直線列状に配置してある温風乾燥機において、風洞部２における接合縁４９の外面に柔軟性を有するシート５０を配置したうえで、剛性を有するカバー５１によってシート５０を覆ったことを特徴とする。
【手続補正７】
【補正対象書類名】明細書
【補正対象項目名】０００８
【補正方法】変更
【補正の内容】
【０００８】
　また、前ケース１Ａと後ケース１Ｂとを蓋合わせ状に接合して構成された風洞部２の内部に、風を生起する送風ファン１０と、送風ファン１０を回転駆動するモータ１１と、風を加熱するヒーターユニット１２とが、吸込口１３側から順に直線列状に配置してある温風乾燥機において、風洞部２における接合縁４９の外面に接合縁４９を跨ぐ凹部５２を形成し、この凹部５２に柔軟性を有する装飾シート５０を配置したうえで、剛性を有する透明のカバー５１によって装飾シート５０を覆ったことを特徴とする。
【手続補正８】
【補正対象書類名】明細書
【補正対象項目名】０００９
【補正方法】変更
【補正の内容】
【０００９】
　また、風洞部２に、スイッチベース５と、スイッチベース５に取り付けられ、モータ１１またはヒータユニット１２の運転状態を切り換えるスイッチノブ６とを備え、スイッチベース５は、カバー５１に隣接して装着されていることを特徴とする。
【手続補正９】
【補正対象書類名】明細書
【補正対象項目名】００１２
【補正方法】変更
【補正の内容】
【００１２】
　風洞部２の外面に部分的に形成した凹部５２に柔軟性を有する装飾シート５０を配置したうえで、剛性を有する透明のカバー５１によって装飾シート５０を覆ったことにより、透明なカバー５１を透かして装飾シート５０を見ることになるので深みのある色合いを表現できる。
　風洞部２の外面に凹みを形成することで、装飾シート５０の装着の目安となり、装飾シート５０の装着が容易となるうえ、その上からさらに透明のカバー５１によって押し付けられているので、装飾シート５０のズレ防止効果が得られる。
【手続補正１０】
【補正対象書類名】明細書
【補正対象項目名】００１３
【補正方法】変更
【補正の内容】
【００１３】
　風洞部２における接合縁４９の外面に柔軟性を有するシート５０を配置したうえで、剛性を有するカバー５１によってシート５０を覆ったことにより、接合縁４９から乾燥風が漏れ出すのを防止して送風効率を向上することができる。
【手続補正１１】
【補正対象書類名】明細書
【補正対象項目名】００１４
【補正方法】変更
【補正の内容】
【００１４】
　風洞部２における接合縁４９の外面に接合縁４９を跨ぐ凹部５２を形成し、この凹部５２に柔軟性を有する装飾シート５０を配置したうえで、剛性を有する透明のカバー５１によって装飾シート５０を覆ったことにより、透明なカバー５１を透かして装飾シート５０を見ることになるので深みのある色合いを表現できる。
　風洞部２の外面に凹みを形成することで、装飾シート５０の装着の目安となり、装飾シート５０の装着が容易となるうえ、その上からさらに透明のカバー５１によって押し付けられているので、装飾シート５０のズレ防止効果が得られる。
　さらに、接合縁４９から乾燥風が漏れ出すのを防止して送風効率を向上することができる。
【手続補正１２】
【補正対象書類名】明細書
【補正対象項目名】００１５
【補正方法】変更
【補正の内容】
【００１５】
　風洞部２に、スイッチベース５と、スイッチベース５に取り付けられ、モータ１１またはヒータユニット１２の運転状態を切り換えるスイッチノブ６とを備え、スイッチベース５は、カバー５１に隣接して装着されていることにより、部分的に装飾シート５０が配置されていても、隣接関係にあるのでスイッチ操作時に装飾シート５０が視覚に入りやすく、少ないコストで大きな装飾効果を奏することができる。逆に装飾シート５０がスイッチ操作の目安になることから、スイッチ操作を的確に行うことができる。